(57)【要約】【課題】保留者が容易に希望する保留コンテンツを被保留者に提供することができ、また交換機に大がかりな記憶装置を必要としない交換システム、保留コンテンツ提供方法および端末装置を提供する。【解決手段】移動無線端末装置ＰＳ１が通信相手毎に設定した保留音データを予め記憶し、移動無線端末装置ＰＳ２と通話を開始すると移動無線端末装置ＰＳ２に応じた上記保留音データを交換機ＥＸ１にアップロードする。そして、その後、他の移動無線端末装置ＰＳ３と割込通話を開始すると、交換機ＥＸ１が保留している通信相手（移動無線端末装置ＰＳ２）に対して、アップロードした保留音データに基づく楽曲などを送出するようにしたものである。【選択図】      図１
2010074780.tif 000002
【特許請求の範囲】
【請求項１】
第１の端末と第２の端末を交換接続して通信リンクを確立している場合に、第３の端末から前記第１の端末に着呼があると、前記第１の端末からの要求に応じて、前記第２の端末を保留し、前記第１の端末と前記第３の端末を交換接続して通信リンクを確立する割込通話機能を有する交換システムにおいて、
前記第１の端末から前記第２の端末に応じた保留データを取得する保留データ取得手段と、
前記第１の端末と前記第３の端末を交換接続して通信リンクを確立した場合に、前記第２の端末に対して、前記保留データ取得手段が取得した保留データに基づくコンテンツを提供する保留コンテンツ提供手段とを具備することを特徴とする交換システム。
【請求項２】
前記保留データ取得手段は、前記第３の端末から前記第１の端末に着呼があった場合に、前記第１の端末から前記第２の端末に応じた保留データを取得することを特徴とする請求項１に記載の交換システム。
【請求項３】
前記保留データ取得手段は、前記第１の端末と前記第３の端末との間で通信が開始された場合に、前記第１の端末から前記第２の端末に応じた保留データを取得することを特徴とする請求項１に記載の交換システム。
【請求項４】
前記保留コンテンツ提供手段は、前記第１の端末と前記第３の端末との間で通信が開始された場合に、予め設定したコンテンツを前記第２の端末に提供し、
前記保留データ取得手段は、前記保留コンテンツ提供手段が前記第２の端末にコンテンツの提供を開始した場合に、前記第１の端末から前記第２の端末に応じた保留データを取得し、
前記保留コンテンツ提供手段は、前記保留データ取得手段が保留データを取得した場合に、提供中のコンテンツに代わって、前記保留データに基づくコンテンツを提供することを特徴とする請求項１に記載の交換システム。
【請求項５】
前記保留データ取得手段は、複数の保留データを取得し、
前記保留コンテンツ提供手段は、前記保留データ取得手段が複数の保留データのうち、前記第２の端末からの要求に応じた保留データに基づくコンテンツを提供することを特徴とする請求項１に記載の交換システム。
【請求項６】
第１の端末と第２の端末を交換接続して通信リンクを確立している場合に、第３の端末から前記第１の端末に着呼があると、前記第１の端末からの要求に応じて、前記第２の端末を保留し、前記第１の端末と前記第３の端末を交換接続して通信リンクを確立する割込通話機能を有する交換システムにおける保留コンテンツ提供方法であって、
前記第１の端末から前記第２の端末に応じた保留データを取得する保留データ取得工程と、
前記第１の端末と前記第３の端末を交換接続して通信リンクを確立した場合に、前記第２の端末に対して、前記保留データ取得工程が取得した保留データに基づくコンテンツを提供する保留コンテンツ提供工程とを具備することを特徴とする保留コンテンツ提供方法。
【請求項７】
前記保留データ取得工程は、前記第３の端末から前記第１の端末に着呼があった場合に、前記第１の端末から前記第２の端末に応じた保留データを取得することを特徴とする請求項６に記載の保留コンテンツ提供方法。
【請求項８】
前記保留データ取得工程は、前記第１の端末と前記第３の端末との間で通信が開始された場合に、前記第１の端末から前記第２の端末に応じた保留データを取得することを特徴とする請求項６に記載の保留コンテンツ提供方法。
【請求項９】
前記保留コンテンツ提供工程は、前記第１の端末と前記第３の端末との間で通信が開始された場合に、予め設定したコンテンツを前記第２の端末に提供する第１工程を備え、
前記保留データ取得工程は、前記第１工程で前記第２の端末にコンテンツの提供を開始した場合に、前記第１の端末から前記第２の端末に応じた保留データを取得し、
前記保留コンテンツ提供工程は、前記保留データ取得工程が保留データを取得した場合に、提供中のコンテンツに代わって、前記保留データに基づくコンテンツを提供する第２工程を備えることを特徴とする請求項６に記載の保留コンテンツ提供方法。
【請求項１０】
前記保留データ取得工程は、複数の保留データを取得し、
前記保留コンテンツ提供工程は、前記保留データ取得工程が複数の保留データのうち、前記第２の端末からの要求に応じた保留データに基づくコンテンツを提供することを特徴とする請求項６に記載の保留コンテンツ提供方法。
【請求項１１】
保留データに基づくコンテンツを被保留端末に提供する交換機を備えた交換システムを通じて通信する端末装置であって、
通信相手の識別情報に対応付けた保留データを記憶する記憶手段と、
第１の端末と通信中に第２の端末から着信があると、ユーザからの要求に応じて、前記交換機に、前記第１の端末を保留し第２の端末との通信に切り替える要求を行う切替要求手段と、
前記第１の端末に提供するコンテンツとして、前記第１の端末に対応付けた保留データを前記記憶手段から読み出して、前記交換機に伝送する伝送手段とを具備することを特徴とする端末装置。
【発明の詳細な説明】
【技術分野】
【０００１】
この発明は、通話中の回線保留時に、被保留端末に保留音を送出する交換システムに関する。
【背景技術】
【０００２】
周知のように、従来の交換システムは、交換機に保有音の音源を備え、被保留端末に保留音を送出するようにしている（例えば、特許文献１参照）。このシステムでは、複数の保留音源を備えることができるが、保留者は、多数の保留音源から希望の音源を探し出すのに手間がかかり、またユーザの希望に添う音源を準備すると、膨大な音源を準備する必要があり、交換機に大がかりな記憶装置が必要になるという問題があった。
【特許文献１】特開平５−１２２３５０公報
【発明の開示】
【発明が解決しようとする課題】
【０００３】
従来の交換システムでは、保留者が希望の保留コンテンツを選択するのに手間がかかるだけでなく、ユーザの希望に添う保留コンテンツを準備するには、交換機に大がかりな記憶装置が必要になるという問題があった。  
この発明は上記の問題を解決すべくなされたもので、保留者が容易に希望する保留コンテンツを被保留者に提供することができ、また交換機に大がかりな記憶装置を必要としない交換システム、保留コンテンツ提供方法および端末装置を提供することを目的とする。
【課題を解決するための手段】
【０００４】
上記の目的を達成するために、この発明は、第１の端末と第２の端末を交換接続して通信リンクを確立している場合に、第３の端末から第１の端末に着呼があると、第１の端末からの要求に応じて、第２の端末を保留し、第１の端末と第３の端末を交換接続して通信リンクを確立する割込通話機能を有する交換システムにおいて、第１の端末から第２の端末に応じた保留データを取得する保留データ取得手段と、第１の端末と第３の端末を交換接続して通信リンクを確立した場合に、記第２の端末に対して、保留データ取得手段が取得した保留データに基づくコンテンツを提供する保留コンテンツ提供手段とを具備して構成するようにした。
【発明の効果】
【０００５】
以上述べたように、この発明では、第２の端末と通信する第１の端末から、第２の端末に応じた保留データを取得し、第１の端末が第３の端末と通信を開始して第２の端末を保留した場合に、第２の端末に対して、上記保留データに基づくコンテンツを提供するようにしている。
【０００６】
したがって、この発明によれば、保留者が容易に希望する保留コンテンツを被保留者に提供することができ、また交換機に大がかりな記憶装置を必要としない交換システム、保留コンテンツ提供方法および端末装置を提供することが可能な交換システムを提供できる。
【発明を実施するための最良の形態】
【０００７】
以下、図面を参照して、この発明の一実施形態について説明する。  
図１は、この発明の一実施形態に係わる交換システムの構成を示すものである。この交換システムは、携帯電話機などの移動無線端末装置ＰＳ１〜ＰＳ３と、移動通信網ＮＷに収容される無線基地局ＢＳ１〜ＢＳ３と、交換機ＥＸ１〜ＥＸ３とを備えている。また交換機ＥＸ１〜ＥＸ３は、それぞれ無線基地局ＢＳ１〜ＢＳ３を収容するとともに、他の交換機と相互に接続し、それぞれ無線基地局に無線接続される移動無線端末装置の間に通信リンクを確立する。すなわち、移動通信網ＮＷは、無線基地局に無線接続される移動無線端末装置を、交換機ＥＸ１〜ＥＸ３を用いて相互に接続し、音声通話サービスをはじめとする通信サービスを提供する。
【０００８】
なお、図１では、説明を簡明にするために、各交換機が１つの無線基地局を収容するように示しているが、複数の無線基地局を収容してもよい。また、移動通信網ＮＷは、３つの交換機ＥＸ１〜ＥＸ３を収容しているが、４以上の交換機を備えてもよいのは言うまでもない。
【０００９】
図２に、移動無線端末装置ＰＳ１〜ＰＳ３の構成を示す。移動無線端末装置ＰＳ１〜ＰＳ３は、それぞれ図２に示すように構成される。すなわち、移動無線端末装置ＰＳ１〜ＰＳ３は、それぞれ、制御部１００と、無線通信部１１０と、通話部１２０と、表示部１３０と、操作部１４０と、記憶部１５０とを備える。
【００１０】
無線通信部１１０は、制御部１００の指示にしたがって、移動通信網ＮＷに収容された無線基地局と無線通信を行うものであって、この無線通信により、音声データや電子メールデータなどの送受信、Ｗｅｂデータやストリーミングデータなどの受信を行う。
【００１１】
通話部１２０は、スピーカ１２１やマイクロホン１２２を備え、マイクロホン１２２を通じて入力されたユーザの音声を音声データに変換して制御部１００に出力したり、通話相手などから受信した音声データを復号してスピーカ１２１から出力するものである。
【００１２】
表示部１３０は、例えばLCD(Liquid Crystal Display)や有機EL(Electro Luminescence)ディスプレイなどを用いた表示手段であって、制御部１００の制御により、画像（静止画像および動画像）や文字情報などを表示して、視覚的にユーザに情報を伝達するものである。  
操作部１４０は、複数のキースイッチなどを備え、これを通じてユーザから指示を受け付けるものである。
【００１３】
記憶部１５０は、制御部１００の制御プログラムや制御データ、アプリケーションソフトウェア、通信相手の名称や電話番号などを対応づけたアドレスデータ、送受信した電子メールのデータ、ＷｅｂブラウジングによりダウンロードしたＷｅｂデータや、ダウンロードしたコンテンツデータを記憶し、またストリーミングデータなどを一時的に記憶するものである。なお、具体的には、ＨＤＤ、ＲＡＭ、ＲＯＭ、フラッシュメモリなどで構成され、これらの１つで、または複数を組み合わせて構成することができる。
【００１４】
また記憶部１５０は、楽曲や音声アナウンスなどの保有音として用いる保留音データを複数記憶し、上記アドレスデータには、電話番号に上記保留音データの識別情報を対応付けて記憶する。すなわち、上記アドレスデータにおいて、通信相手の名称毎に、ユーザが任意に設定した保留音データが対応付けられている。
【００１５】
制御部１００は、マイクロプロセッサを備え、記憶部１５０が記憶する制御プログラムや制御データにしたがって動作し、当該移動無線端末装置の各部を統括して制御し、音声通信やデータ通信を実現するものである。また制御部１００は、記憶部１５０が記憶するアプリケーションソフトウェアにしたがって動作し、電子メールの送受信や、Ｗｅｂブラウジング、ダウンロードしたストリーミングデータに基づいて動画像を表示部１３０に表示したり、音声通信を行う通信制御機能を備える。
【００１６】
また制御部１００は、通話中に第三者から着信が合った場合に、通話を保留して第三者との通話に切り替える割込通話（コールウェイティング）サービスを利用する場合に、上記保留音データを交換機にアップロードする保留音アップロード機能を備える。
【００１７】
図３に、交換機ＥＸ１〜ＥＸ３の構成を示す。交換機ＥＸ１〜ＥＸ３は、それぞれ図３に示すように構成される。すなわち、交換機ＥＸ１〜ＥＸ３は、制御部２００と、基地局インタフェース２１０と、網側インタフェース２２０と、記憶部２３０とを備える。
【００１８】
基地局インタフェース２１０は、無線基地局を収容し、通信するインタフェースである。  
網側インタフェース２２０は、移動通信網ＮＷを通じて、他の交換機と通信するインタフェースである。
【００１９】
記憶部２３０は、制御部２００の制御プログラムや制御データを記憶するとともに、移動無線端末装置からアップロードされた保留音データを記憶するユーザ保留音記憶エリア２３０ａと、予め設定された保留音データを記憶する固定保留音記憶エリア２３０ｂとを備える。
【００２０】
制御部２００は、記憶部２３０が記憶する制御プログラムや制御データにしたがって動作し、当該交換機の各部を統括して制御するものであって、基地局インタフェースに収容される無線基地局を通じて接続される移動無線端末装置を、網側インタフェース２２０を通じて移動通信網ＮＷに接続し、他の交換機と協調して動作することにより、上記移動無線端末装置と通信相手との間に通信リンクを確立する交換制御を行う。
【００２１】
また制御部２００は、割込通話サービスを実現するための制御機能を備えており、基地局インタフェース２１０が収容する無線基地局を通じて通信を行っている移動無線端末装置に、第三者から着信が合った場合に、上記移動無線端末装置に着信信号を通話音声に重畳して送出し、上記移動無線端末装置から通信相手を切り替える要求があると、現在の通信相手に保留音を送出し、上記移動無線端末装置と第三者との間に通信リンクを確立する。
【００２２】
そしてまた制御部２００は、上記移動無線端末装置から保留音データのアップロードを受け付けて、ユーザ保留音記憶エリア２３０ａに記録し、上記保留音として送出するユーザ保留音再生機能を備える。なお、この機能では、保留音データのアップロードが行われない場合は、固定保留音記憶エリア２３０ｂに記憶される保留音データに基づく保留音を送出する。
【００２３】
次に、上記構成の交換システムの動作について説明する。  
まず、図４を参照して、移動無線端末装置が発呼を行った場合の動作について説明する。なお、以下の説明では、移動無線端末装置ＰＳ１が移動無線端末装置ＰＳ２に向けて発呼を行う場合を例に挙げて説明する。
【００２４】
ステップ４ａにおいて制御部１００は、操作部１４０を通じたユーザからの要求に応じて、発呼先（移動無線端末装置ＰＳ２）の電話番号を表示部１３０に表示し、その後、操作部１４０を通じた発呼要求を検出すると、ステップ４ｂに移行する。  
ステップ４ｂにおいて制御部１００は、無線通信部１１０を制御して、無線基地局ＢＳ１に上記電話番号の情報を含む発呼信号を送信し、ステップ４ｃに移行する。この発呼信号は無線基地局ＢＳ１に受け入れられると、無線基地局ＢＳ１からは、通信リンクを通じて、呼び出し中を示すリングバックトーンが送出される。このリングバックトーンは、スピーカ１２１を通じて拡声出力される。
【００２５】
ステップ４ｃにおいて制御部１００は、移動無線端末装置ＰＳ２においてユーザが着信に応答したことを示す応答信号を受信し、ステップ４ｄに移行する。  
ステップ４ｄにおいて制御部１００は、所定のプロトコルにしたがって、交換機ＥＸ１と連係して、移動無線端末装置ＰＳ２との間に、通話を行うための通信リンクを確立し、ステップ４ｅに移行する。
【００２６】
ステップ４ｅにおいて制御部１００は、ステップ４ｄで確立した通信リンクを通じて、マイクロホン１２２から入力された送話音声を通話部１２０によって符号化して送出するとともに、移動無線端末装置ＰＳ２から受信した受信データを通話部１２０で復号してスピーカ１２１より拡声出力する。このような音声処理により、ユーザは、移動無線端末装置ＰＳ２のユーザと通話が開始される。以後、ユーザが操作部１４０を通じてオフフック操作を行ったり、移動無線端末装置ＰＳ２が終話要求を行うまで、通話が行われる。
【００２７】
次に、図５を参照して、移動無線端末装置ＰＳ１が発呼を行った場合の交換機ＥＸ１の動作について説明する。  
ステップ５ａにおいて制御部２００は、基地局インタフェース２１０を通じて、移動無線端末装置ＰＳ１から発呼信号が到来するか否かを監視し、発呼信号が到来すると、ステップ５ｂに移行する。
【００２８】
ステップ５ｂにおいて制御部２００は、発呼信号に含まれる移動無線端末装置ＰＳ２の電話番号を検出し、この電話番号と、図示しない位置登録データベースに基づいて、着信先である移動無線端末装置ＰＳ２が交換機ＥＸ２に収容される無線基地局ＢＳ２の無線ゾーン内に位置することを検出する。そして制御部２００は、交換機ＥＸ２に呼出信号を送出し、ステップ５ｃに移行する。
【００２９】
これにより交換機ＥＸ２では、その制御部２００が、基地局インタフェース２１０および無線基地局ＢＳ２を通じて、呼出信号を移動無線端末装置ＰＳ２に送信する。やがて、移動無線端末装置ＰＳ２が応答信号を送出すると、無線基地局ＢＳ２および交換機ＥＸ２を介して、交換機ＥＸ１に到達する。
【００３０】
ステップ５ｃにおいて制御部２００は、網側インタフェース２２０が上記応答信号を受信すると、この旨を基地局インタフェース２１０および無線基地局ＢＳ１を通じて、移動無線端末装置ＰＳ１に通知し、ステップ５ｄに移行する。
【００３１】
ステップ５ｄにおいて制御部２００は、所定のプロトコルにしたがって、基地局インタフェース２１０および網側インタフェース２２０を制御し、交換機ＥＸ２と連係し、移動無線端末装置ＰＳ１と移動無線端末装置ＰＳ２との間に、通話を行うための通信リンクを確立し、当該処理を終了する。以後、移動無線端末装置ＰＳ１あるいは移動無線端末装置ＰＳ２から、終話要求が出されるまで、上記通信リンクを維持する。
【００３２】
次に、図６を参照して、図４に示した処理によって移動無線端末装置ＰＳ２と通話中の移動無線端末装置ＰＳ１が、割込通話サービスを利用して通信相手を移動無線端末装置ＰＳ３に切り替える場合の動作について説明する。  
ステップ６ａにおいて制御部１００は、通話中に無線基地局ＢＳ１を通じて、交換機ＥＸ１から着信発生の通知があるか否かを監視し、この通知があると、ステップ６ｂに移行する。
【００３３】
ステップ６ｂにおいて制御部１００は、通話部１２０を制御して、通話音声に重畳された報知音をスピーカ１２１より拡声出力して、第三者（移動無線端末装置ＰＳ３）からの着信の発生をユーザに報知する。そして制御部１００は、この報知に気付いたユーザが、割込通話サービスを利用するために操作部１４０を操作して、通話切り替え要求を行うと、これを受け付けて、ステップ６ｃに移行する。
【００３４】
ステップ６ｃにおいて制御部１００は、記憶部１５０に記憶されるアドレスデータを参照し、現在通話中の移動無線端末装置ＰＳ２の電話番号に、保留音データの識別情報が対応付けられているか否かを判定する。ここで、移動無線端末装置ＰＳ２の電話番号に、保留音データの識別情報が対応付けられている場合には、ステップ６ｄに移行し、一方、保留音データの識別情報が対応付けられていない場合には、ステップ６ｅに移行する。
【００３５】
ステップ６ｄにおいて制御部１００は、移動無線端末装置ＰＳ２の電話番号に対応付けられた保留音データの識別情報に対応する保留音データを記憶部１５０から読み出し、無線通信部１１０を制御して、交換機ＥＸ１に向けて送信し、ステップ６ｅに移行する。
【００３６】
なお、保留音データの送信は、移動無線端末装置ＰＳ１と無線基地局ＢＳ１との通信方式に準じる。すなわち、通信方式がTDMA-TDD方式の場合には、通話に用いているタイムスロットとは別の空いているタイムスロットが無線基地局ＢＳ１に割り当てられ、このタイムスロットを通じて、保留音データを送信する。またパケット交換接続の場合には、他の空いているパケットを無線基地局ＢＳ１に割り当てられ、このパケットを通じて保留音データを送信する。
【００３７】
ステップ６ｅにおいて制御部１００は、無線通信部１１０を制御して、交換機ＥＸ１に向けて、通話切り替えの要求を送信し、これにより、通信相手が移動無線端末装置ＰＳ２から移動無線端末装置ＰＳ３に切り替えられ、当該処理を終了する。以後、移動無線端末装置ＰＳ３との通話が行われる。その後、ユーザが操作部１４０を通じて、再び切り替え要求を行うと、その旨が無線通信部１１０によって交換機ＥＸ１に通知され、交換機ＥＸ１によって、移動無線端末装置ＰＳ２との通話に切り替えられる。
【００３８】
次に、図７を参照して、図５に示した処理によって移動無線端末装置ＰＳ１が移動無線端末装置ＰＳ２と通話中に、移動無線端末装置ＰＳ３から移動無線端末装置ＰＳ１に着呼があった場合の割込通話サービスを提供する動作について説明する。  
ステップ７ａにおいて制御部２００は、網側インタフェース２２０が移動通信網ＮＷから受ける通知を監視して、通話中の移動無線端末装置ＰＳ１に、着信が発生したか否かを判定する。ここで、移動無線端末装置ＰＳ３から移動無線端末装置ＰＳ１に着信が発生すると、ステップ７ｂに移行する。
【００３９】
ステップ７ｂにおいて制御部２００は、基地局インタフェース２１０を制御して、着信信号を通話音声に重畳して送出し、これにより移動無線端末装置ＰＳ３からの着信が発生したことを通知し、ステップ７ｃに移行する。なお、この通知とともに、制御信号を通じて、移動無線端末装置ＰＳ３の電話番号を通知するようにしてもよい。この場合、制御信号を通じて受け付けた電話番号を、制御部１００が表示部１３０に表示する。
【００４０】
ステップ７ｃにおいて制御部２００は、基地局インタフェース２１０を通じて、移動無線端末装置ＰＳ１から保留音データを受信したか否かを監視する。ここで、移動無線端末装置ＰＳ１から保留音データを受信した場合には、ステップ７ｄに移行し、一方、保留音データを受信しない場合には、ステップ７ｅに移行する。
【００４１】
ステップ７ｄにおいて制御部２００は、移動無線端末装置ＰＳ１から受信した保留音データをユーザ保留音記憶エリア２３０ａに記録し、ステップ７ｅに移行する。なお、この保留音データは、移動無線端末装置ＰＳ２の電話番号に対応付けられて記録される。  
ステップ７ｅにおいて制御部２００は、基地局インタフェース２１０を通じて、移動無線端末装置ＰＳ１から通信相手を切り替える要求を受信したか否かを判定する。ここで、、移動無線端末装置ＰＳ１から通信相手を切り替える要求を受信した場合には、ステップ７ｆに移行し、一方、通信相手を切り替える要求を受信しない場合には、再び、ステップ７ｅに移行して、切り替え要求の発生を監視する。
【００４２】
ステップ７ｆにおいて制御部２００は、網側インタフェース２２０を制御して、交換機ＥＸ３を通じて、所定のプロトコルにしたがって、移動無線端末装置ＰＳ３との間に通信リンクを確立し、移動無線端末装置ＰＳ３と移動無線端末装置ＰＳ１とを接続し、ステップ７ｇに移行する。これにより、移動無線端末装置ＰＳ１と移動無線端末装置ＰＳ３との間で通話が可能となる。
【００４３】
ステップ７ｇにおいて制御部２００は、移動無線端末装置ＰＳ１が通信相手を切り替える前の通信相手である移動無線端末装置ＰＳ２の電話番号に対応付けて、保留音データがユーザ保留音記憶エリア２３０ａに記録されているか否かを判定する。ここで、移動無線端末装置ＰＳ２の電話番号に対応付けて、保留音データが記録されている場合には、ステップ７ｈに移行し、一方、上記保留音データが記録されていない場合には、ステップ７ｉに移行する。
【００４４】
ステップ７ｈにおいて制御部２００は、ユーザ保留音記憶エリア２３０ａに、移動無線端末装置ＰＳ２の電話番号に対応付けて記憶される保留音データを検出して、これを読み出し、ステップ７ｊに移行する。  
ステップ７ｉにおいて制御部２００は、固定保留音記憶エリア２３０ｂに記憶される保留音データを読み出し、ステップ７ｊに移行する。
【００４５】
ステップ７ｊにおいて制御部２００は、ステップ７ｈもしくはステップ７ｉで読み出した保留音データに基づく音声メッセージもしくは楽曲を、網側インタフェース２２０および交換機ＥＸ２を通じて、移動無線端末装置ＰＳ２に保留音として送出し、当該処理を終了する。その後、移動無線端末装置ＰＳ１において、ユーザが操作部１４０を通じて、再び切り替え要求を行った場合には、保留音の送出を停止し、移動無線端末装置ＰＳ１との通話に切り替える。
【００４６】
次に、図８に示すシーケンス図を参照して、図４〜図７のフローチャートで説明した一連の動作を説明する。なお、図８では、交換機ＥＸ２およびＥＸ３、各基地局については、省略しているが、移動無線端末装置ＰＳ２やＰＳ３と交換機ＥＸ１が通信する場合には、交換機ＥＸ２およびＥＸ３、各基地局がそれぞれ介在する。
【００４７】
（シーケンスＳ８０１）  
移動無線端末装置ＰＳ１では、ユーザが操作部１４０を操作して発呼操作を行うと（ステップ４ａ）、制御部１００が無線通信部１１０を制御して、無線基地局ＢＳ１に移動無線端末装置ＰＳ２の電話番号の情報を含む発呼信号を送信して、発信を行う（ステップ４ｂ）。  
（シーケンスＳ８０２）  
これに対して、交換機ＥＸ１では、基地局インタフェース２１０を通じて制御部２００が移動無線端末装置ＰＳ１からの発呼信号を検出すると（ステップ５ａ）、網側インタフェース２２０を制御して、位置登録で得たベースに基づいて、交換機ＥＸ２を通じ、呼出信号を移動無線端末装置ＰＳ２に送出し、着信報知を行う（ステップ５ｂ）。
【００４８】
（シーケンスＳ８０３）  
また交換機ＥＸ１では、制御部２００が、基地局インタフェース２１０を通じて、移動無線端末装置ＰＳ１に対して、呼び出し中であることを示すリングバックトーンを送出する。  
（シーケンスＳ８０４）  
移動無線端末装置ＰＳ２では、着信をユーザに報知し、これにユーザが操作部１４０を操作して応答すると、制御部１００が無線通信部１１０を制御して、応答信号を交換機ＥＸ１に送出する。
【００４９】
（シーケンスＳ８０５）  
交換機ＥＸ１では、網側インタフェース２２０を通じて上記応答信号を受信すると、制御部２００が基地局インタフェース２１０を制御して、この旨を移動無線端末装置ＰＳ１に通知する（ステップ５ｃ）。
【００５０】
（シーケンスＳ８０６）  
移動無線端末装置ＰＳ１では、応答の通知を交換機ＥＸ１から受けると（ステップ４ｃ）、所定のプロトコルにしたがって、交換機ＥＸ１と連係して、移動無線端末装置ＰＳ２との間に、通話を行うための通信リンクを確立し（ステップ４ｄおよびステップ５ｄ）、音声通話を開始する（ステップ４ｅ）。
【００５１】
（シーケンスＳ８０７）  
やがて、移動無線端末装置ＰＳ３が移動無線端末装置ＰＳ１に向けて発信し、これを網側インタフェース２２０を通じて、交換機ＥＸ１の制御部２００が検出する（ステップ７ａ）。
【００５２】
（シーケンスＳ８０８）  
そして交換機ＥＸ１では、基地局インタフェース２１０を制御部２００が制御し、着信信号を通話音声に重畳して送出し、これにより移動無線端末装置ＰＳ３からの着信が発生したことを移動無線端末装置ＰＳ１に通知する（ステップ７ｂ）。
【００５３】
（シーケンスＳ８０９）  
また交換機ＥＸ１では、制御部２００が網側インタフェース２２０を制御して、移動無線端末装置ＰＳ３にリングバックトーンを送出して、呼び出し中であることを報知する。  
（シーケンスＳ８１０）  
移動無線端末装置ＰＳ１では、着信信号を交換機ＥＸ１から受信すると（ステップ６ａ）、通話音声に重畳された報知音をスピーカ１２１より拡声出力して、第三者（移動無線端末装置ＰＳ３）からの着信の発生をユーザに報知し、この報知に気付いたユーザから操作部１４０を通じて、割込通話サービスを利用する要求を受け付ける（ステップ６ｂ）。
【００５４】
（シーケンスＳ８１１）  
そして、移動無線端末装置ＰＳ１では、制御部１００が、記憶部１５０に記憶されるアドレスデータを参照し、現在通話中の移動無線端末装置ＰＳ２の電話番号に、保留音データの識別情報が対応付けられているか確認する（ステップ６ｃ）。
【００５５】
（シーケンスＳ８１２）  
そして、移動無線端末装置ＰＳ１では、対応付けられていることを確認すると、制御部１００が、移動無線端末装置ＰＳ２の電話番号に対応付けられた保留音データＭ１を記憶部１５０から読み出し、無線通信部１１０を制御して、交換機ＥＸ１に向けて送信する（ステップ６ｄ）。
【００５６】
（シーケンスＳ８１３）  
一方、交換機ＥＸ１では、制御部２００が、基地局インタフェース２１０を通じて、移動無線端末装置ＰＳ１から保留音データＭ１を受信したか否かを監視し（ステップ７ｃ）、保留音データＭ１を受信すると、これを移動無線端末装置ＰＳ２の電話番号に対応付けてユーザ保留音記憶エリア２３０ａに記録する（ステップ７ｄ）。
【００５７】
（シーケンスＳ８１４）  
その後、移動無線端末装置ＰＳ１では、制御部１００が、無線通信部１１０を制御して、交換機ＥＸ１に向けて、通話切り替えの要求を送信する（ステップ６ｅ）。  
（シーケンスＳ８１５）  
これに対して、交換機ＥＸ１では、制御部２００が、基地局インタフェース２１０を通じて、移動無線端末装置ＰＳ１から通信相手を切り替える要求を受信したか否かを判定し（ステップ７ｅ）、上記要求を受信した場合には、網側インタフェース２２０を制御して、交換機ＥＸ３を通じて、所定のプロトコルにしたがって、移動無線端末装置ＰＳ３との間に通信リンクを確立し、移動無線端末装置ＰＳ３と移動無線端末装置ＰＳ１とを接続する（ステップ７ｆ）これにより、移動無線端末装置ＰＳ１と移動無線端末装置ＰＳ３との間で通話が可能となる。
【００５８】
（シーケンスＳ８１６）  
続いて、交換機ＥＸ１では、移動無線端末装置ＰＳ１が通信相手を切り替える前の通信相手である移動無線端末装置ＰＳ２の電話番号に対応付けて、保留音データがユーザ保留音記憶エリア２３０ａに記録されていることを確認する（ステップ７ｇ）。
【００５９】
（シーケンスＳ８１７）  
そして、交換機ＥＸ１では、制御部２００が、ユーザ保留音記憶エリア２３０ａから、移動無線端末装置ＰＳ２の電話番号に対応付けて記憶される保留音データＭ１を読み出し、この保留音データＭ１に基づく音声メッセージもしくは楽曲を、網側インタフェース２２０および交換機ＥＸ２を通じて、移動無線端末装置ＰＳ２に保留音として送出する（ステップ７ｈおよび７ｊ）。
【００６０】
（シーケンスＳ８１８）  
その後、移動無線端末装置ＰＳ１は、移動無線端末装置ＰＳ２に対する保留が継続していると、制御部１００が、移動無線端末装置ＰＳ２の電話番号に対応付けられた、別の保留音データＭ２を記憶部１５０から読み出し、無線通信部１１０を制御して、交換機ＥＸ１に向けて送信する（ステップ６ｄ）。
【００６１】
（シーケンスＳ８１９）  
これに対して、交換機ＥＸ１では、制御部２００が、基地局インタフェース２１０を通じて、移動無線端末装置ＰＳ１から新たな保留音データＭ２を受信すると、これを移動無線端末装置ＰＳ２の電話番号に対応付けてユーザ保留音記憶エリア２３０ａに記録する（ステップ７ｄ）。
【００６２】
（シーケンスＳ８２０）  
その後、移動無線端末装置ＰＳ２のユーザが操作部１４０を操作して、保留音の切り替え要求を行うと、制御部１００が無線通信部１１０を制御して、保留音の切り替え要求を送出する。
【００６３】
（シーケンスＳ８２１）  
これに対して、交換機ＥＸ１では、制御部２００が、ユーザ保留音記憶エリア２３０ａから、移動無線端末装置ＰＳ２の電話番号に対応付けて記憶される保留音データＭ２を読み出し、この保留音データＭ２に基づく音声メッセージもしくは楽曲を、網側インタフェース２２０および交換機ＥＸ２を通じて、移動無線端末装置ＰＳ２に保留音として送出する。以後、シーケンスＳ８１８〜Ｓ８１９をくり返して実行する。
【００６４】
以上のように、上記構成の交換システムでは、移動無線端末装置が通信相手毎に設定した保留音データを予め記憶し、通話を開始すると通信相手に応じた上記保留音データを交換機にアップロードする。そして、その後、他の通信相手と割込通話を開始すると、交換機が保留している通信相手に対して、アップロードした保留音データに基づく楽曲などを送出するようにしている。
【００６５】
したがって、上記構成の交換システムによれば、通信相手に応じて、移動無線端末装置のユーザが予め準備した保留音を送出することができ、また交換機は移動無線端末装置から保留音データを提供されるので、交換機に大がかりな記憶装置を備える必要が無い。
【００６６】
また保留音データは、移動無線端末装置から次々にアップロードされるので、保留された移動無線端末装置のユーザは、保留音を複数選べることになり、待たされても退屈した気分を軽減できる。
【００６７】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【００６８】
その一例として例えば、上記実施の形態では、第三者（移動無線端末装置ＰＳ３）からの着信が発生した後に、保留者（移動無線端末装置ＰＳ１）が保留音データをアップロードするようにしたが、上記着信が発生する前にアップロードするようにしてもよい。すなわち、例えば通話中に、第三者からの着信に備えて、保留者が保留音データをアップロードするようにしてもよい。これにより、保留状態になると、すぐにユーザが設定した保留音を送出することができる。
【００６９】
また反対に、保留者（移動無線端末装置ＰＳ１）が第三者（移動無線端末装置ＰＳ３）と割込通話を開始した後に、保留音データをアップロードするようにしてもよい。この場合、保留音データのアップロードが完了するまでの間は、交換機（交換機ＥＸ１）は、固定保留音記憶エリア２３０ｂに記憶される保留音データに基づく保留音を被保留者（移動無線端末装置ＰＳ２）に送出し、交換機が保留データの取得を完了すると、提供中のコンテンツに代わって、取得した保留データに基づくコンテンツを提供する。
【００７０】
また、上記実施の形態では、保留の際に、被保留側の移動無線端末装置ＰＳ２に提供するコンテンツとして、音声メッセージや楽曲などの保留音の音楽データを例に挙げたが、映像コンテンツであってもよい。すなわち、保留側の移動無線端末装置ＰＳ１が音声メッセージや楽曲などの保留音の音楽データをアップロードするようにしたが、これに代わって例えば音声も含む映像データをアップロードし、これを交換機ＥＸ１が被保留側の移動無線端末装置ＰＳ２に伝送し、移動無線端末装置ＰＳ２で映像を再生表示するようにしてもよい。
【００７１】
そしてまた、上記実施の形態では、割込通話によって保留を行った場合の保留音データのアップロードについて説明したが、割込通話以外で保留を行う場合にも適用可能であることはいうまでもない。  
また上記実施の形態では、携帯電話機などの移動無線端末装置を例に挙げて説明したが、有線回線を通じて接続する固定電話機やＩＰ電話機に適用することも可能である。  
その他、この発明の要旨を逸脱しない範囲で種々の変形を施しても同様に実施可能であることはいうまでもない。
【図面の簡単な説明】
【００７２】
【図１】この発明に係わる交換システムの一実施形態の構成例を示す図。
【図２】図１に示した交換システムの移動無線端末装置の構成を示す回路ブロック図。
【図３】図１に示した交換システムの交換機の構成を示す回路ブロック図。
【図４】図２に示した移動無線端末装置の動作を説明するためのフローチャート。
【図５】図２に示した交換機の動作を説明するためのフローチャート。
【図６】図２に示した移動無線端末装置の動作を説明するためのフローチャート。
【図７】図２に示した交換機の動作を説明するためのフローチャート。
【図８】この発明に係わる交換システムの動作を説明するためのシーケンス図。
【符号の説明】
【００７３】
１００…制御部、１１０…無線通信部、１２０…通話部、１２１…スピーカ、１２２…マイクロホン、１３０…表示部、１４０…操作部、１５０…記憶部、２００…制御部、２１０…基地局インタフェース、２２０…網側インタフェース、２３０ａ…ユーザ保留音記憶エリア、２３０ｂ…固定保留音記憶エリア、２３０…記憶部、ＢＳ１〜ＢＳ２…無線基地局、ＥＸ１〜ＥＸ３…交換機、ＮＷ…移動通信網、ＰＳ１〜ＰＳ３…移動無線端末装置。
【図１】
2010074780.tif 000003
【図２】
2010074780.tif 000004
【図３】
2010074780.tif 000005
【図４】
2010074780.tif 000006
【図５】
2010074780.tif 000007
【図６】
2010074780.tif 000008
【図７】
2010074780.tif 000009
【図８】
2010074780.tif 000010